(57)【要約】【課題】忌避剤を長期間安定して保持することができる保持装置を提供する。【解決手段】鳥獣類の忌避剤８を保持する保持体を備えた鳥獣類の忌避剤保持装置において、保持体がテープ本体２であり、このテープ本体２の上面に設けられ該テープ本体２の長手方向に連続する忌避剤用凹部６と、テープ本体２の下部に設けられた粘着面４Ｎとを備えるから、忌避剤用凹部６に忌避剤８を塗るなどすることにより、忌避剤８の流出を抑制し、長期に渡って忌避効果を得ることができる。また、テープ本体２は繊維の布製であるから、忌避剤８が含浸し易く、且つテープ本体２の下に配置した両面粘着テープ４はエラストマーからなる液密性を有するものであるから、忌避剤８が下面側に流れ出ることもない。【選択図】図２
2014060949.tif 000002
【特許請求の範囲】
【請求項１】
鳥獣類の忌避剤を保持する保持体を備えた鳥獣類の忌避剤保持装置において、
前記保持体がテープ本体であり、このテープ本体の上面に設けられ該テープ本体の長手方向に連続する忌避剤用凹部とを備えることを特徴とする鳥獣類の忌避剤保持装置。
【請求項２】
鳥獣類の忌避剤を保持する保持体を備えた鳥獣類の忌避剤保持装置において、
構造物の上部開口に前記保持体を設け、この保持体に忌避剤保持部を設け、この忌避剤保持部を移動可能に設けたことを特徴とする鳥獣類の忌避剤保持装置。
【請求項３】
前記保持体を回転可能に設けたことを特徴とする請求項２記載の鳥獣類の忌避剤保持装置。
【請求項４】
前記保持体を昇降可能に設けたことを特徴とする請求項２記載の鳥獣類の忌避剤保持装置。
【請求項５】
鳥獣類の忌避剤を保持する保持体を備えた鳥獣類の忌避剤保持装置の施工方法において、
前記保持体が紐状体であり、この紐状体に忌避剤を付着させ、この忌避剤を付着した紐状体を配置することを特徴とする鳥獣類の忌避剤保持装置の施工方法。
【請求項６】
前記紐状体をロールに巻き、このロールから前記紐状体を引き出しながら前記忌避剤を付着させることを特徴とする請求項５記載の鳥獣類の忌避剤保持装置の施工方法。
【発明の詳細な説明】
【技術分野】
【０００１】
本発明は、鳥獣類の忌避剤を保持する鳥獣類の忌避剤保持装置とその施工方法に関する。
【背景技術】
【０００２】
従来、この種の忌避剤は忌避対象場所に塗布，噴霧やコーキングして使用され、コーキングして使用するものとして、薬剤剤抽出工具セット（例えば特許文献１）や忌避剤抽出用ガン（例えば特許文献２）がある。
【０００３】
また、粘着基剤に忌避成分を混合させて粘性組成物とした忌避剤を忌避対象場所に設置させることで鳥類を忌避させるようにした鳥類忌避方法（例えば特許文献３）が知られており、この鳥類忌避方法では、ベランダのフロア面や手摺を忌避対象場所とし、さらに、複数本の支柱を有し、これらの支柱は適当な短い間隔を開けてベランダの手摺である外壁上端面に沿って設けた鳥類忌避装置（例えば特許文献４）がある。
【０００４】
また、鳥類を忌避して圃場における農作物等の被保護物を鳥類から保護する鳥類忌避装置において、外径を０．２〜０．４〔ｍｍ〕の範囲に選定した一本又は二本以上の線材を、地面に対して所定の高さに張り渡し、かつ前記被保護物の周りに配してなることを特徴とする鳥類忌避装置（例えば特許文献５）がある。
【先行技術文献】
【特許文献】
【０００５】
【特許文献１】特開２００８−１２６１０１号公報
【特許文献２】特開２００８−１４８３９０号公報
【特許文献３】特開２００７−１８９９５３号公報
【特許文献４】特開平１１−２４３８３１号広報
【特許文献５】特開２００７−１４３５１６号広報
【発明の概要】
【発明が解決しようとする課題】
【０００６】
上記のようにコーキングにより忌避剤を設ける方法では、忌避対象場所に忌避剤を簡便に設けることができるが、直接コーキングした場合、経時的に忌避剤が剥がれたり、流れたりすると効果が低下するという問題がある。
【０００７】
また、特許文献３及び４のように、手摺の上に装置を設けるものでは、装置が邪魔になって布団などを掛けることができなくなる。
【０００８】
さらに、特許文献５のように、単に線材を張設するだけでは十分な侵入防止効果が得られないことが予想される。
【０００９】
そこで、本発明は上記問題点に鑑み、忌避剤を長期間安定して保持することができる保持装置を提供することを目的とし、また、構造物に布団などを掛けることができ、さらに、侵入防止効果に優れた忌避剤保持装置を提供することを目的とする。
【課題を解決するための手段】
【００１０】
請求項１の発明は、鳥獣類の忌避剤を保持する保持体を備えた鳥獣類の忌避剤保持装置において、前記保持体がテープ本体であり、このテープ本体の上面に設けられ該テープ本体の長手方向に連続する忌避剤用凹部とを備えることを特徴とする。
【００１１】
請求項２の発明は、鳥獣類の忌避剤を保持する保持体を備えた鳥獣類の忌避剤保持装置において、構造物の上部開口に前記保持体を設け、この保持体に忌避剤保持部を設け、この忌避剤保持部を移動可能に設けたことを特徴とする。
【００１２】
請求項３の発明は、前記保持体を回転可能に設けたことを特徴とする。
【００１３】
請求項４の発明は、前記保持体を昇降可能に設けたことを特徴とする。
【００１４】
請求項５の発明は、鳥獣類の忌避剤を保持する保持体を備えた鳥獣類の忌避剤保持装置の施工方法において、前記保持体が紐状体であり、この紐状体に忌避剤を付着させ、この忌避剤を付着した紐状体を配置することを特徴とする。
【００１５】
請求項６の発明は、鳥獣類の忌避剤を保持する保持体を備えた鳥獣類の忌避剤保持装置の施工方法において、前記紐状体をロールに巻き、このロールから前記紐状体を引き出しながら前記忌避剤を付着させることを特徴とする。
【発明の効果】
【００１６】
請求項１の発明によれば、忌避剤用凹部に忌避剤を塗るなどして設けることにより、忌避剤の流出を抑制し、長期に渡って忌避効果を得ることができる。
【００１７】
請求項２の発明によれば、保持体を移動して忌避剤を使用位置と収納位置とに変えることができ、露出状態の使用位置で忌避効果が得られ、収納することにより構造物の上部に布団などをかけることができる。
【００１８】
請求項３の発明によれば、保持体を回転することにより忌避剤を使用位置及び収納位置に移動することができる。
【００１９】
請求項４の発明によれば、保持体を昇降することにより忌避剤を使用位置及び収納位置に移動することができる。
【００２０】
請求項５の発明によれば、忌避剤を付着した紐状体を張設することにより鳥獣類の侵入を防止できる。
【００２１】
請求項６の発明によれば、紐状体を引き出しながら忌避剤を付着させることできる。
【図面の簡単な説明】
【００２２】
【図１】本発明の実施例１を示す保持装置の斜視図である。
【図２】同上、使用状態の断面図ある。
【図３】本発明の実施例２を示す保持装置の斜視図である。
【図４】本発明の実施例３を示す使用状態の側面図である。
【図５】同上、使用状態の正面図である。
【図６】本発明の実施例３を示す保持装置の断面図である。
【図７】同上、側面図である。
【図８】同上、複数の保持装置を連結して配置した側面説明図である。
【図９】本発明の実施例５を示す保持装置の断面図であり、図９（Ａ）は保持体が降下した状態、図９（Ａ）は保持体が上昇した状態を示す。
【図１０】本発明の実施例６を示す保持装置の断面図であり、図１０（Ａ）は保持体が降下した状態、図１０（Ａ）は保持体が上昇した状態を示す。
【図１１】本発明の実施例７を示す保持装置の断面図である。
【図１２】本発明の実施例８を示し、図１２（Ａ）は正面図、図１２（Ｂ）は側面図である。
【図１３】同上、付着装置の断面説明図である。
【図１４】本発明の実施例９を示すゴミ袋の正面図である。
【図１５】同上、他のゴミ袋の正面図である。
【図１６】本発明の実施例１０を示す保持装置の断面図である。
【図１７】本発明の実施例１１を示す柱状物の正面図である。
【図１８】本発明の実施例１２を示す面と塗装手段の斜視図である。
【発明を実施するための形態】
【００２３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２４】
以下、本発明の概要を説明する。
【００２５】
ビル及び市役所、体育館、商業施設、駅、橋梁、看板、表示板、道路標識、工場等の建造物、または、物干しさお、排気口の上、室外機の上、樹木、草、ゴミ収集場所等鳥類の止まることができる場所、畑、水田、耕作物、そして人に対して害を及ぼす鳥類及び獣類を忌避する工法を提供できる。
【００２６】
適応場所は、鳥が止まることができる場所であれば設置することができる。また、獣類が出没して耕作物または、人に害を及ぼしている場所に効果的に実施できる。
【００２７】
鳥頴は、止まれる場所全てが対象となる特に屋根、屋上、庇やベランダの手摺、樹木その他鳥類がとまるところ全てに実施できる工法を提供できる。
【００２８】
鳥類の忌避を行う場合において人が居住している場所のベランダ等布団など乾す場合のように利用する場合は、布団などにその忌避剤が触れないように手摺の中の部分に格納ができ、利用しない場合いは忌避剤が手すり部分より上に出る構造とする、その忌避剤部分が上下する、回転する、端部にまとめる等の方法で対処するものを防鳥忌避手摺という、または手摺上部に忌避剤を塗った器具を取り付け布団等を乾す為手摺を利用するときは、布団等に触れない構造とする。利用しないときには器具より忌避剤塗布部分が上に出て忌避効果がでる横造とする。忌避剤を塗布した部分が上下及び回転、端部にまとめるなどの構造のものを既設手摺脱着式防鳥忌避用具という、それぞれ防鳥忌避手摺と既設手摺脱着式防鳥忌避用具等を使用して鳥類の忌避ができる。
【００２９】
鳥類の忌避を実施する場合は、忌避剤を含浸させた流出防止用テープ、その他テープ類、紐類、ロープ類、布等を鳥が止まれる場所があればその場所に施工する。また、直接塗布することも可能である、方法としては、コーキングガン及びローラー、墨つぼのようなものを用いて行う。また、施工場所に施工する流出防止用テープの本数は必要に応じて１本から複数本とする。
【００３０】
樹木に忌避を行う場合は、直接塗布及び噴霧または、含浸したものを貼る等して忌避する工法である。
【００３１】
電線の場合いは、直接塗布及び噴霧または、含浸したものを貼るなどして施工する工法である。
【００３２】
耕作地で路地及びハウス栽培していて、鳥の被害が発生している場合は、忌避剤を含浸したものを張ることで鳥の害を防ぐ工法、張る場所があればどこでもよい。
【００３３】
耕作地の獣類対策として、周囲に忌避剤を含漬した糸帝、ロープ穎、紐類、布などを張ることで防ぐことができる工法、含浸したものを張る本数および間隔については現場に合わせて実施するものとする、また支柱については、材質等は何でもよい。間隔は現場状況に合わせて実施するものとする。
【００３４】
忌避剤の固定方法については、鳥頴が止まっても動かない程度に固定すればよい。両面テープ、直接、絹テープ、ロープ、紐、固定器具など忌避剤との着き具合がよい物で材質等は特に選ばない、またそれぞれを組合せて機能が発揮できるものであれば問題ない。
【００３５】
流出防止用のテープは両端部に突起など流れの防止するものがありその突起と突起の中にコーキングガン、ヘラ等を使って塗る場合において、流出防止用テープを使って鳥類の忌避を行う工法を防鳥忌避テープ工法という、その流出防止テープは忌避剤の流出防止と、忌避剤の効果を長くする効果が期待できるものである。材質等は忌避剤と着き具合がよい材質が好ましいが、材質は特定しない。テープの形状についても特定はしない。汎用品のテープでもよい、忌避剤の流出を防ぐことができるものであればよい。
【００３６】
流出防止用テープは、着色することで防鳥忌避に役立てる為行うものである。色は何色でもよい。
【００３７】
ゴミ袋を忌避剤混入の素材で製品化することで防鳥忌避の効果がある、また、ゴミ袋の表面に含浸した糸を張ることで防鳥忌避効果がある、ゴミ袋の表面に忌避剤を塗布すること防鳥忌避効果がある、防鳥忌避効果のあるゴミ袋ができる。
【実施例１】
【００３８】
図１〜図２は実施例１を示しており、同図に示すように、長尺な保持具である保持装置１は、保持体たるテープ本体２を備え、このテープ本体２は布などの繊維の織物からなる可撓性を備えた帯体であり、ほぼ一定幅を有する。前記テープ本体２の下面で幅方向両側には、隆起手段たる紐３，３を間隔を置いて配置し、テープ本体２の下面と紐３，３とに両面粘着テープ４の上面４Ｊを接着する。これにより、紐３，３箇所のテープ本体２が隆起した隆起部５，５が形成され、テープ本体２の上面には隆起部５，５間に忌避剤用凹部６が形成され、前記隆起部５は忌避剤８の流れ防止部となる。尚、テープ本体２と紐３はほぼ同一長さであり、テープ本体２の全長に隆起部５，５及び忌避剤用凹部６が連続して形成されている。また、保持装置１は流出防止テープである。
【００３９】
また、両面粘着テープ４は、エラストマーなどからなる弾性帯体の上下面に粘着面４Ｎ，４Ｎを設けたものであり、その下面には剥離紙７が剥離可能に貼設されている。尚、両面粘着テープ４を用いずに、テープ本体２と紐３とを接着や縫着により一体に設けてもよい。そして、テープ本体２の下面に粘着面４がない場合は、テープ本体２の下面に接着剤などを塗布して取付場所に取り付けたり、ネジなどの別体の取付手段により取付場所に取り付けたもよい。
【００４０】
尚、忌避剤８は、コーキングガンによる注出又は／及び塗布可能なものであれば各種のものを用いることができ、例えば、天然テンペル由来成分（ヒバ、アスナロ属ヒバ、スギ、ヤシなどとの共力剤の複合系）カンキツ径、パラフィン系溶剤などを含むものを用いることができ、油性の淡黄色油剤を使用する。また、忌避剤８に粘性を有するものとしてもよく、この場合は、鳥などの足に付着することによっても忌避効果が得られる。
【００４１】
次に、前記保持装置１の使用方法について説明する。図２に示すように、コンクリートなどの鳥類がとまる取付場所たる天端面に、剥離紙７を剥いで保持装置１を接着する。保持装置１は予めロールなどに巻き付けておき、引き出しながら接着してもよい。そして、コーキングガンにより、凹部６内に忌避剤８を充填する。あるいは、凹部６内に、へらなどにより忌避剤を塗布して付着させてもよい。忌避剤８は織物のテープ本体２に含浸し、良好に付着する。この場合、コーキングガンを用いて忌避剤８の断面をできるだけ円形に注出することが好ましい。
【００４２】
このように本実施例では、請求項１に対応して、鳥獣類の忌避剤８を保持する保持体を備えた鳥獣類の忌避剤保持装置において、保持体がテープ本体２であり、このテープ本体２の上面に設けられ該テープ本体２の長手方向に連続する忌避剤用凹部６とを備えるから、忌避剤用凹部６に忌避剤８を塗るなどすることにより、忌避剤８の流出を抑制し、長期に渡って忌避効果を得ることができる。
【００４３】
また、実施例上の効果として、テープ本体２の下部に設けられた粘着面４Ｎを備えるから、テープ本体２を接着により取付場所に固定することができる。また、テープ本体２は繊維の布製であるから、忌避剤８が含浸し易く、且つテープ本体２の下に配置した両面粘着テープ４はエラストマーからなる液密性を有するものであるから、忌避剤８が下面側に流れ出ることもない。また、設置箇所の長さ寸法に対応して、所定位置で保持装置１を切断して使用することができる。
【実施例２】
【００４４】
図３は、本発明の実施例２を示し、上記実施例１と同一部分に同一符号を付し、その詳細な説明を省略して詳述する。
【００４５】
この例は、保持装置１に着色部９を設けている。色は白以外なら何色でもよく、着色されたテープ本体２に忌避剤８を設けることにより、鳥獣類が学習し、忌避剤８の効果が低下した後も近付き難くなる。
【実施例３】
【００４６】
図４〜図５は、本発明の実施例３を示し、上記各実施例と同一部分に同一符号を付し、その詳細な説明を省略して詳述する。
【００４７】
同図は、本発明をゴミ集積場所に用いた例を示し、ゴミ箱11は、前後寸法より左右寸法が長い直方体形状をなす箱本体12を備え、この箱本体12は、直方体形状の枠体13に網体14を張設してなり、箱本体12の下部四方には脚部15，15，15，15が設けられ、箱本体12の底面部12Ｔとゴミ箱11の設置面16との間には隙間Ｓが形成されている。また、箱本体12は前面部12Ｍ又は上面部12Ｊが開口する。
【００４８】
保持装置１は、前記両面粘着テープ４の下面にベース板10に接着固定してなる。このベース板10は金属製や合成樹脂製なども硬質材料からなる帯状の板材からなり、保持装置１のウエートとなる。また、ベース板10のほぼ全長に前記テープ本体２が貼設されており、ベース板10の長さは左右の脚部15，15の間隔より短いから、左右の脚部15，15の間から保持装置１を出し入れし易くなっている。
【００４９】
このように本実施例では、請求項１に対応して、上記各実施例と同様な作用・効果を奏する。
【００５０】
また、この例では、設置部たるベース板10に保持装置１を設けたから、保持装置１が移動可能となり、使用時にはゴミ箱11の周囲に保持装置１を配置し、収納時にはゴミ箱11の下部に収納しておくことができる。
【実施例４】
【００５１】
図６〜図８は、本発明の実施例４を示し、上記各実施例と同一部分に同一符号を付し、その詳細な説明を省略して詳述する。
【００５２】
同図はベランダや屋上などに設けた既設の手摺20の上桟20Ａに、保持装置21を設けた例を示し、この保持装置21は、前記上桟20Ａに固定手段たるバンド22を巻装し、このバンド22は左右の分割バンド23，23からなり、これら左右の分割バンド23，23の下部をボルトナットなどの連結手段24により連結すると共に、左右の分割バンド23，23の上部をネジ25により枠体26の側部に固定する。尚、枠体26の下部側には、図示しない水抜き孔を穿設する。
【００５３】
前記枠体26は、上部開口26Ａを有する断面略コ字型をなし、内部に長尺な保持体27が回動可能に設けられている。この保持体27は、断面円形や断面角型など適宜形状をなし、図示しないブラケットなどにより回転中心27Ａを中心に前記枠体26に回動可能に設けられている。また、上桟20Ａに保持装置21，21・・・を並べて配置し、保持装置21，21の間、具体的には枠体26の間の隙間28に操作部たるハンドル29を設け、このハンドル29は保持装置21毎に設けられ、ハンドル29を操作することにより保持体27を回動することができる。
【００５４】
前記保持体27には、その外周に忌避剤用凹部27Ｂを長さ方向に連続して形成し、この忌避剤用凹部27Ｂにコーキングや塗布により忌避剤８を設ける。また、枠体26に対して前記保持体27の側面の一部が上部開口26Ａより上部に位置するように保持体27が配置されている。尚、保持体27に前記保持装置１を接着してもよい。
【００５５】
そして、通常は保持体27の位置を忌避剤８が上になるようにし、鳥類などが止まったり、保持装置21の内側に侵入したりすることを防止する。一方、手摺20に布団などを掛けて干す場合は、ハンドル29を操作して保持体27を回してやれば、忌避剤８が上部開口26Ａより下方に位置させることができ、枠体26上に布団を掛けても、布団に忌避剤８が付着することがない。
【００５６】
このように本実施例では、請求項２に対応して、鳥獣類の忌避剤８を保持する保持体を備えた鳥獣類の忌避剤保持装置において、構造物たる手摺20の上部開口26Ａに保持体27を設け、この保持体27に忌避剤保持部たる凹部27Ｂを設け、この凹部27Ｂを移動可能に設けたから、保持体27を移動して忌避剤８を露出及び収納した状態とすることができ、露出状態で忌避効果が得られ、収納することにより構造物の上部に布団などをかけることができる。
【００５７】
また、このように本実施例では、請求項３に対応して、保持体27を回転可能に設けたから、保持体27を回転することにより忌避剤８を露出位置及び収納位置に移動することができる。
【００５８】
また、実施例上の効果として、構造物が手摺20の上部に横方向に配置した上桟20Ａであるから、忌避剤がないと鳥が止まり易く、布団などが干し易い場所に忌避剤８を設けることができる。さらに、固定手段たるバンド22を用いるから、既設の構造物に簡便に取り付けることができる。また、保持体27に忌避剤用凹部37Ｂを設けたから、忌避剤８を安定して配置することができる。
【実施例５】
【００５９】
図９は、本発明の実施例５を示し、上記実施例１と同一部分に同一符号を付し、その詳細な説明を省略して詳述する。
【００６０】
同図はベランダや屋上などの新設の手摺30に保持装置31を設けた例を示し、手摺30はベランダや屋上などの縁に支柱30Ｂを間隔を置いて立設し、これら複数の支柱30Ｂ，30Ｂ・・・の上部を連結するようにして上桟30Ａを配置し、この上桟30Ａは中空形状をなす。
【００６１】
保持装置31は、前記上桟30Ａの上部に上部開口32を設け、上部が開口した略コ状の保持体33を上桟30Ａに対して昇降自在に設け、この保持体33はコ字上の保持体33の凹部が忌避剤保持部33Ａであり、前記保持体33の昇降により忌避剤保持部33Ａが上部開口32から出没可能になっている。そして、忌避剤保持部33Ａに忌避剤８をコーキング又は塗布する。尚、忌避保持部33Ａに前記保持装置１を貼着してもよい。
【００６２】
前記保持体33の下面には複数の案内軸34が一体に縦設され、この案内軸34を上下に案内する昇降ガイド35が前記上桟30Ａ内に設けられている。
【００６３】
また、前記案内軸34の下方に位置して前記上桟30Ａ内には、昇降手段たる回転カム36が設けられ、この回転カム36は外周面が略楕円形をなし、中央より偏心した位置に回転中心36Ａを有すると共に、その外周面に前記案内軸34の下端が摺動し、図示しない操作部たる操作レバーにより回転カム36を回転することができる。
【００６４】
したがって、操作レバーを操作して回転カム36を回転すると、図９（Ｂ）に示すように、保持部33Ａが上部開口32から上部に位置させることができ、一方、図９（Ａ）に示すように、上桟30Ａ内に忌避剤８を収納しておくことができる。
【００６５】
このように本実施例では、請求項２に対応して、上記各実施例と同様な作用・効果を奏する。
【００６６】
また、このように本実施例では、請求項４に対応して、保持体33を昇降可能に設けたから、保持体33を昇降することにより忌避剤８を使用位置（露出位置）及び収納位置に移動することができる。
【００６７】
また、実施例上の効果として、構造物が新設の手摺30であり、その上桟30Ａの内部に保持装置31が収納可能であるから、上桟30Ａの高さ寸法が嵩張ることがない。
【実施例６】
【００６８】
図１０は、本発明の実施例６を示し、上記各実施例と同一部分に同一符号を付し、その詳細な説明を省略して詳述する。
【００６９】
同図は、既設の手摺20の上桟20Ａに、保持装置21Ａを設けた例を示し、前記枠体26を前記分割バンド23により上桟20Ａに固定し、前記枠体26内に前記保持体33を昇降可能に設けて、保持体33の前記案内軸34を図示しない昇降ガイドにより上下方向に案内しており、図示しない操作レバーにより保持体33を昇降し、保持体33を上部開口26Ａの上方位置に位置決めしたり、上部開口26Ａの下方位置に位置決めしたりすることができる。尚、図中20Ｂは手摺20の支柱である。
【００７０】
このように本実施例では、請求項２及び４に対応して、上記各実施例と同様な作用・効果を奏する。
【００７１】
また、実施例上の効果として、保持装置21Ａは枠体26内に保持体33を組み込んだから、枠体26を既設などの手摺20に取り付けて簡便に使用することができる。
【実施例７】
【００７２】
図１１は、本発明の実施例７を示し、上記各実施例と同一部分に同一符号を付し、その詳細な説明を省略して詳述する。
【００７３】
同図は、新設の手摺30に、実施例３の保持装置21を設けた例を示し、前記上桟20Ａに上部開口32を形成し、前記枠体26を上桟20Ａ内に収納すると共に、枠体26の上部開口26Ａを上桟20Ａの上部開口32に位置合わせした状態で、上桟20Ａに枠体26を取り付ける。
【００７４】
このように本実施例では、請求項２及び４に対応して、上記各実施例と同様な作用・効果を奏する。
【００７５】
また、実施例上の効果として、保持装置21は既設・新設を問わずに構造物に設けることができる。また、枠体26を設けた上桟20Ａをアルミニウム又はその合金などにより、押し出し又は引き抜き成型により容易に製造できる。
【実施例８】
【００７６】
図１２〜図１３は、本発明の実施例８を示し、上記各実施例と同一部分に同一符号を付し、その詳細な説明を省略して詳述する。
【００７７】
同図は、保持体として紐状体を用いた例を示し、耕作地の境目などの設置場所に、間隔を置いて支持体たる複数の支柱41を立設し、これら支柱41，41に、紐やロープなどの紐状体42を上下多段に設けている。尚、支柱41に紐状体42を止着具43により止着している。紐状体42は繊維を用いたものが好ましく、前記忌避剤８を塗布などして含浸している。
図１３は、前記紐状体42に忌避剤８を付着させる付着装置44を示し、付着装置44は、ケース45内に、紐状体42を引き出し可能に巻き付けたロール46を設け、そのケース45に紐状体42の引き出し口47を設け、それらロール46と引き出し口47の間に、忌避剤８を充填した忌避剤充填部48を設け、ロール46から引き出した紐状体42が忌避剤充填部48を通過することいより忌避剤８が付着した状態で引き出し口47から引き出され、このように付着装置44から引き出した紐状体42を支柱41に取り付ける。
【００７８】
このように本実施例では、請求項５に対応して、鳥獣類の忌避剤８を保持する保持体を備えた鳥獣類の忌避剤保持装置の施工方法において、保持体が紐状体42であり、この紐状体42に忌避剤８を付着させ、この忌避剤８を付着した紐状体42を張設するから、忌避剤８を付着した紐状体を張設することにより鳥獣類の侵入を防止できる。
【００７９】
このように本実施例では、請求項６に対応して、鳥獣類の忌避剤を保持する保持体を備えた鳥獣類の忌避剤保持装置の施工方法において、紐状体42をロール46に巻き、このロール46から紐状体42を引き出しながら忌避剤８を付着させるから、引き出しながら忌避剤８を付着させた紐状体42をそのまま張設することができる。
【００８０】
また、実施例上の効果として、繊維を備えた紐状対42を用いることにより、忌避剤８の付着性が向上する。尚、繊維は天然繊維以外でも合成繊維でもよい。
【実施例９】
【００８１】
図１４〜図１５は、本発明の実施例９を示し、上記各実施例と同一部分に同一符号を付し、その詳細な説明を省略して詳述する。
【００８２】
同図は、ゴミ袋に本発明と適応した例を示し、上部が開口した在底のゴミ袋51は、上部に取っ手52を備え、図１４では、忌避剤８を含浸した紐状体42を前記ゴミ袋51の表面に貼り、この例では紐状体42を上下多段に設けている。また、図１５では、ゴミ袋51の表面に忌避剤８を塗布したり、ゴミ袋51の材料に忌避剤８を混合したりしたものを示している。
【００８３】
このように本実施例では、保持具兼保持装置として紐状体42を用いることにより、ゴミ袋51など各種のものに忌避効果を付与することができる。
【実施例１０】
【００８４】
図１６は、本発明の実施例１０を示し、上記各実施例と同一部分に同一符号を付し、その詳細な説明を省略して詳述する。
【００８５】
同図は、テープ本体２の変形例を示し、テープ本体２の幅方向両側を上下方向一側に折返し、複数回折返して重ね合わせた折返し部分を縫着部54により縫着して隆起部５Ａ，５Ａを設け、これら隆起部５Ａ，５Ａ間に前記忌避剤用凹部６を設けている。尚、図面では、テープ本体２の縁を内側に複数回折り返したものを示したが、縁を内側に折り返した後、外側に折り返し、内側、外側と交互に折り返して隆起部を構成してもよい。尚、この場合も実施例１と同様に、テープ本体２の下面に粘着面４がない場合は、テープ本体２の下面に接着剤などを塗布して取付場所に取り付けたり、ネジなどの別体の取付手段により取付場所に取り付けたもよい。
【００８６】
このように本実施例でも、上記各実施例と同様な作用・効果を奏し、また、本実施例では、テープ本体２の縫製により凹部６を形成することができる。
【実施例１１】
【００８７】
図１７は、本発明の実施例１１を示し、上記各実施例と同一部分に同一符号を付し、その詳細な説明を省略して詳述する。
【００８８】
同図は、本願発明を自然木や電柱などの柱状物に用いた例を示し、柱状物である木55の枝56に、忌避剤８を付けた紐状体53を張っている。また、木55に忌避剤８を塗布したり、噴霧して付けたりしてもよい。さらに、前記保持装置１を貼ってもよい。
【００８９】
このように本実施例では、請求項５及び６に対応して、上記各実施例と同様な作用・効果を奏する。
【実施例１２】
【００９０】
図１８は、本発明の実施例１２を示し、上記各実施例と同一部分に同一符号を付し、その詳細な説明を省略して詳述する。
【００９１】
同図は、本発明を壁などの面60に用いた例を示し、塗装手段は、先端に回転可能に設けたローラ61と、ローラ61と交差方向の支持棒62とを備え、前記ローラ61に忌避剤８を付けた状態で、面60にローラ61を当てて回転することにより、面60に忌避剤８を塗布する。この場合、支持棒62に延長棒63を接続し、面60の上部に忌避剤８を塗布し、図１８に示すように、左右方向に所定間隔を置いて忌避剤８の塗布する。尚、64が塗布位置である。
【００９２】
このように本実施例では、ローラ61を用いて、構造物である壁の面60に忌避効果を付与することができる。
【００９３】
尚、本発明は、本実施例に限定されるものではなく、本発明の要旨の範囲内で種々の変形実施が可能である。例えば、テープ本体の材質は実施例の布に限定されず適宜選定可能である。また、実施例では、両面粘着テープを用いたが、テープ本体の下面に直接粘着面を設けてもよく、この場合もその粘着面に剥離紙を設けることが好ましい。さらに、実施例では、保持体を回転又は昇降して忌避剤保持部を移動するようにしたが、保持体を取り外して移動してもよい。また、紐状体は緊張した状態で支持体に掛け渡してもよいし、弛んだ状態で掛け渡してもよい。さらに、テープ本体の取付手段は、接着（粘着）やネジ以外でも、針金やバンドなどを構造物に巻き付けたり、取り付けたりして、テープ本体を構造物に取り付けてもよい。
【符号の説明】
【００９４】
１  保持装置
２  テープ本体（保持体）
３  紐
４  両面粘着テープ
６  凹部（忌避剤用凹部）
８  忌避剤
９  着色部
20  既設の手摺（構造物）
20Ａ  上桟
21  保持装置
26Ａ  上部開口
27Ｂ  忌避剤用凹部
30  新設の手摺（構造物）
30Ａ  上桟
31  保持装置
32  上部開口
33  保持体
33Ａ  忌避剤保持部
42  紐状体（保持体）
44  付着装置
46  ロール
53  紐状体（保持体）
【図１】
2014060949.tif 000003
【図２】
2014060949.tif 000004
【図３】
2014060949.tif 000005
【図４】
2014060949.tif 000006
【図５】
2014060949.tif 000007
【図６】
2014060949.tif 000008
【図７】
2014060949.tif 000009
【図８】
2014060949.tif 000010
【図９】
2014060949.tif 000011
【図１０】
2014060949.tif 000012
【図１１】
2014060949.tif 000013
【図１２】
2014060949.tif 000014
【図１３】
2014060949.tif 000015
【図１４】
2014060949.tif 000016
【図１５】
2014060949.tif 000017
【図１６】
2014060949.tif 000018
【図１７】
2014060949.tif 000019
【図１８】
2014060949.tif 000020